(57)【要約】      （修正有）【課題】強度と床下空間の広さを確保できるフロアパネル及び二重床を提供すること。【解決手段】フロアパネル１０は、平板部１１の相対する２辺にそれぞれ設けられる第１リブ２１と、第１リブの隣に並べて設けられる第３リブ２３と、第１リブにそれぞれつながり平板部の相対する他の２辺にそれぞれ設けられる第２リブ２２と、第２リブの隣に並べて設けられる第４リブ２４と、を備え、第３リブ２３は、第１部３１と、第１部の長手方向の両側に位置し第１部よりも高さが低い第２部３２とを備え、第４リブ２４は、第３部３３と、第３部の長手方向の両側に位置し第３部よりも高さが低い第４部３４とを備え、第１部および第３部の高さは、第１リブ及び第２リブの高さよりも高い。【選択図】図１
0003225046.tif 000002
【実用新案登録請求の範囲】
【請求項１】
正方形の板状の平板部と、前記平板部の裏面に設けられる複数のリブと、を備え、
前記リブは、前記平板部の相対する２辺にそれぞれ設けられる第１リブと、
前記第１リブにそれぞれつながり前記平板部の相対する他の２辺にそれぞれ設けられる第２リブと、
前記第２リブにそれぞれつながり前記第１リブの隣にそれぞれ並べて設けられる第３リブと、
前記第１リブにそれぞれつながり前記第２リブの隣にそれぞれ並べて設けられる第４リブと、
前記第２リブにそれぞれつながり前記第３リブの隣にそれぞれ並べて設けられる第５リブと、
前記第１リブにそれぞれつながり前記第４リブの隣にそれぞれ並べて設けられる第６リブと、を備え、
前記第３リブは、第１部と、前記第１部の長手方向の両側に位置し前記第１部と前記第２リブとにつながり前記第１部よりも高さが低い第２部と、を備え、
前記第４リブは、第３部と、前記第３部の長手方向の両側に位置し前記第３部と前記第１リブとにつながり前記第３部よりも高さが低い第４部と、を備え、
前記第１部および前記第３部の高さは、前記１リブ及び前記第２リブの高さよりも高いことを特徴とするフロアパネル。
【請求項２】
前記第１部と前記第２部との境界は、前記第４リブと前記第６リブとの間に位置し、
前記第３部と前記第４部との境界は、前記第３リブと前記第５リブとの間に位置することを特徴とする請求項１記載のフロアパネル。
【請求項３】
前記第１部および前記第３部の高さは、前記リブの中で最も高いことを特徴とする請求項１又は２に記載のフロアパネル。
【請求項４】
前記第１部および前記第３部の厚さは、前記第５リブ及び前記第６リブの厚さよりも厚いことを特徴とする請求項１から３のいずれかに記載のフロアパネル。
【請求項５】
前記第１リブは、第５部と、前記第５部の長手方向の両側に位置し前記第５部と前記第２リブとにつながり前記第５部よりも高さが低い第６部と、を備え、
前記第２リブは、第７部と、前記第７部の長手方向の両側に位置し前記第７部と前記第１リブとにつながり前記第７部よりも高さが低い第８部と、を備え、
前記第５部および前記第７部の高さは、前記第２部および前記第４部の高さよりも高いことを特徴とする請求項１から４のいずれかに記載のフロアパネル。
【請求項６】
前記第５部と前記第６部との境界は、前記第４リブと前記第６リブとの間に位置し、
前記第７部と前記第８部との境界は、前記第３リブと前記第５リブとの間に位置することを特徴とする請求項５記載のフロアパネル。
【請求項７】
前記第５部および前記第７部の厚さは、前記第５リブ及び前記第６リブの厚さよりも厚いことを特徴とする請求項５又は６に記載のフロアパネル。
【請求項８】
前記リブは、前記第１部どうしをつなぐ第７リブと、
前記第７リブに交わり前記第２部どうしをつなぐ第８リブと、を備え、
前記第７リブ及び前記第８リブの高さは、前記第１リブ、前記第２リブ、前記第５リブ及び前記第６リブの高さよりも高いことを特徴とする請求項１から７のいずれかに記載のフロアパネル。
【請求項９】
前記第７リブ及び前記第８リブの厚さは、前記第５リブ及び前記第６リブの厚さよりも厚いことを特徴とする請求項８記載のフロアパネル。
【請求項１０】
請求項１から９のいずれかに記載のフロアパネルを用いた二重床であって、
床に配置された複数の支持脚と、
前記支持脚に架設されたストリンガと、を備え、
前記支持脚の上に、前記第１リブ及び前記第２リブの一部、前記第２部、前記第４部が配置され、
前記ストリンガの上に、前記第１リブ及び前記第２リブの残部が配置されることを特徴とする二重床。
【考案の詳細な説明】
【技術分野】
【０００１】
本考案はフロアパネル及び二重床に関するものである。
【背景技術】
【０００２】
クリーンルームや電算機室等のフリーアクセスフロアを作るフロアパネルは、強度や剛性を確保するため、正方形の平板部の裏面に複数のリブが設けられている（特許文献１）。特許文献１のフロアパネルは、平板部の４辺に設けられるリブの内側に、そのリブよりも高いリブが設けられており、その高いリブの交点が支持脚の上に配置される。
【先行技術文献】
【特許文献】
【０００３】
【特許文献１】特開平１−１１１９５６号公報
【考案の概要】
【考案が解決しようとする課題】
【０００４】
しかしながら上記の技術では、高いリブの交点が支持脚の上に配置されるので、フロアパネルの強度を確保するためにそのリブを高くすると、平板部から支持脚までのフロアパネルの厚さが厚くなるので、床下空間が狭くなるという問題点がある。
【０００５】
本考案は上述した問題を解決するためになされたものであり、強度と床下空間の広さを確保できるフロアパネル及び二重床を提供することを目的とする。
【課題を解決するための手段】
【０００６】
この目的を達成するために本考案のフロアパネルは、正方形の板状の平板部と、平板部の裏面に設けられる複数のリブと、を備え、リブは、平板部の相対する２辺にそれぞれ設けられる第１リブと、第１リブにそれぞれつながり平板部の相対する他の２辺にそれぞれ設けられる第２リブと、第２リブにそれぞれつながり第１リブの隣にそれぞれ並べて設けられる第３リブと、第１リブにそれぞれつながり第２リブの隣にそれぞれ並べて設けられる第４リブと、第２リブにそれぞれつながり第３リブの隣にそれぞれ並べて設けられる第５リブと、第１リブにそれぞれつながり第４リブの隣にそれぞれ並べて設けられる第６リブと、を備え、第３リブは、第１部と、第１部の長手方向の両側に位置し第１部と第２リブとにつながり第１部よりも高さが低い第２部と、を備え、第４リブは、第３部と、第３部の長手方向の両側に位置し第３部と第１リブとにつながり第３部よりも高さが低い第４部と、を備え、第１部および第３部の高さは、第１リブ及び第２リブの高さよりも高い。
【０００７】
また、本考案の二重床は、床に配置された複数の支持脚と、支持脚に架設されたストリンガと、を備え、前記フロアパネルの第１リブ及び第２リブの一部、第２部、第４部が支持脚の上に配置され、ストリンガの上に第１リブ及び第２リブの残部が配置される。
【考案の効果】
【０００８】
請求項１記載のフロアパネルによれば、平板部の相対する２辺に設けられた第２リブにつながる第３リブが、平板部の他の相対する２辺に設けられた第１リブの隣に並べて設けられる。第１リブにつながる第４リブが、第２リブの隣に並べて設けられる。第３リブは、第１部と、第１部の長手方向の両側に位置し第１部と第２リブとにつながる第２部と、を備え、第４リブは、第３部と、第３部の長手方向の両側に位置し第３部と第１リブとにつながる第４部と、を備える。第１部および第３部の高さは、第１リブ及び第２リブの高さよりも高いので、第１部および第３部によってフロアパネルの強度を確保できる。また、第２部は第１部よりも低く、第４部は第３部よりも低いので、第２部、第４部、第１リブ及び第２リブを支持脚の上に配置することにより、フロアパネルの平板部から支持脚までの厚さを薄くできる。よって、強度と床下空間の広さを確保できる。
【０００９】
請求項２記載のフロアパネルによれば、第１部と第２部との境界は、第４リブと第６リブとの間に位置し、第３部と第４部との境界は、第３リブと第５リブとの間に位置する。第１部および第３部の長さを確保できるので、請求項１の効果に加え、フロアパネルの強度を十分に確保できる。
【００１０】
請求項３記載のフロアパネルによれば、第１部および第３部の高さはリブの中で最も高い。よって、請求項１又は２の効果に加え、第１部および第３部よりも高いリブを設ける場合に比べて床下空間の広さを確保しつつ、強度をさらに大きくできる。
【００１１】
請求項４記載のフロアパネルによれば、第１部および第３部の厚さは、第５リブ及び第６リブの厚さよりも厚い。よって、請求項１から３のいずれかの効果に加え、第５リブ及び第６リブも厚くする場合に比べてフロアパネルの質量の増加を抑制しつつ、フロアパネルの強度をさらに大きくできる。
【００１２】
請求項５記載のフロアパネルによれば、第１リブは、第５部と、第５部の長手方向の両側に位置し第５部と第２リブとにつながり第５部よりも高さが低い第６部と、を備える。第２リブは、第７部と、第７部の長手方向の両側に位置し第７部と第１リブとにつながり第７部よりも高さが低い第８部と、を備えている。第５部および第７部の高さは、第２部および第４部の高さよりも高いので、請求項１から４のいずれかの効果に加え、第５部および第７部によりフロアパネルの強度をさらに大きくできる。
【００１３】
請求項６記載のフロアパネルによれば、第５部と第６部との境界は、第４リブと第６リブとの間に位置し、第７部と第８部との境界は、第３リブと第５リブとの間に位置する。第５部および第７部の長さを確保できるので、請求項５の効果に加え、フロアパネルの強度を十分に確保できる。
【００１４】
請求項７記載のフロアパネルによれば、第５部および第７部の厚さは、第５リブ及び第６リブの厚さよりも厚い。よって、請求項５又は６の効果に加え、第５リブ及び第６リブも厚くする場合に比べてフロアパネルの質量の増加を抑制しつつ、フロアパネルの強度をさらに大きくできる。
【００１５】
請求項８記載のフロアパネルによれば、第７リブは第１部どうしをつなぎ、第８リブは第７リブに交わり第２部どうしをつなぐ。第７リブ及び第８リブの高さは、第１リブ、第２リブ、第５リブ及び第６リブの高さよりも高いので、請求項１から７のいずれかの効果に加え、第７リブ及び第８リブによりフロアパネルの強度をさらに大きくできる。
【００１６】
請求項９記載のフロアパネルによれば、第７リブ及び第８リブの厚さは、第５リブ及び第６リブの厚さよりも厚いので、請求項８の効果に加え、フロアパネルの強度をより大きくできる。
【００１７】
請求項１０記載の二重床によれば、床に配置された複数の支持脚にストリンガが架設され、支持脚の上に第１リブ及び第２リブの一部、第２部、第４部が配置される。ストリンガの上に第１リブ及び第２リブの残部が配置されるので、二重床の強度と床下空間を確保できる。
【図面の簡単な説明】
【００１８】
【図１】本考案の一実施の形態におけるフロアパネルの斜視図である。
【図２】支持脚の上にフロアパネルを配置した二重床の平面図である。
【図３】図２のＩＩＩ−ＩＩＩ線における二重床の断面図である。
【考案を実施するための形態】
【００１９】
以下、本考案の好ましい実施の形態について添付図面を参照して説明する。図１は一実施の形態におけるフロアパネル１０の斜視図である。
【００２０】
図１に示すようにフロアパネル１０は、正方形の板状の平板部１１と、平板部１１の裏面に設けられる複数のリブ２０と、を備えている。リブ２０は平板部１１に垂直に付けられた板である。本実施形態では、フロアパネル１０はアルミニウム合金製やマグネシウム合金製の鋳造製品であり、ダイカストにより平板部１１及びリブ２０が一体に成形されている。フロアパネル１０は、平板部１１の裏面に根太（図示せず）や支持脚４２（図３参照）を設けることにより、平板部１１によってクリーンルームや電算機室などに床面が形成される。
【００２１】
リブ２０は、平板部１１の相対する２辺にそれぞれ設けられる２本の第１リブ２１と、第１リブ２１にそれぞれつながり平板部１１の相対する他の２辺にそれぞれ設けられる２本の第２リブ２２と、第２リブ２２にそれぞれつながり第１リブ２１の隣にそれぞれ並べて設けられる２本の第３リブ２３と、第１リブ２１にそれぞれつながり第２リブ２２の隣にそれぞれ並べて設けられる２本の第４リブ２４と、第２リブ２２にそれぞれつながり第３リブ２３の隣にそれぞれ並べて設けられる２本の第５リブ２５と、第１リブ２１にそれぞれつながり第４リブ２４の隣にそれぞれ並べて設けられる２本の第６リブ２６と、を備えている。
【００２２】
第１リブ２１、第３リブ２３及び第５リブ２５は互いに平行に配置され、第２リブ２２、第４リブ２４及び第６リブ２６は互いに平行に配置されている。第１リブ２１、第３リブ２３及び第５リブ２５は、第２リブ２２、第４リブ２４及び第６リブ２６に垂直に交わる。第５リブ２５を挟んで第３リブ２３の反対側に、複数の第１補強部２９が設けられている。複数の第１補強部２９は互いに平行に配置されており、第１補強部２９は第２リブ２２、第４リブ２４及び第６リブ２６に垂直に交わる。第６リブ２６を挟んで第４リブ２４の反対側に、複数の第２補強部３０が設けられている。複数の第２補強部３０は互いに平行に配置されており、第２補強部３０は第１リブ２１、第３リブ２３及び第５リブ２５に垂直に交わる。
【００２３】
平板部１１のうち、第１リブ２１、第２リブ２２、第３リブ２３及び第４リブ２４に囲まれた４つの角に、平板部１１の厚さ方向に貫通する穴（図示せず）があけられている。
【００２４】
第３リブ２３は、第１部３１と、第１部３１の長手方向の両側に位置する第２部３２と、を備えている。第２部３２は、第１部３１と第２リブ２２とにつながり第１部３１よりも高さが低い。第１部３１の長手方向の両側の２か所に、第１部３１のうち最も高い第１脚部３１ａが設けられている。
【００２５】
第４リブ２４は、第３部３３と、第３部３３の長手方向の両側に位置する第４部３４と、を備えている。第４部３４は、第３部３３と第１リブ２１とにつながり第３部３３よりも高さが低い。第３部３３の長手方向の両側の２か所に、第３部３３のうち最も高い第１脚部３３ａが設けられている。第１脚部３１ａ，３３ａは同じ高さである。
【００２６】
第１部３１及び第３部３３の高さは、リブ２０の中で最も高い。リブ２０を下にして複数のフロアパネル１０を積み重ねたときに、第１脚部３１ａ，３３ａは、別のフロアパネル１０の平板部１１に接する。
【００２７】
第１リブ２１は、第５部３５と、第５部３５の長手方向の両側に位置する第６部３６と、を備えている。第６部３６は、第５部３５と第２リブ２２とにつながり第５部３５よりも高さが低い。第２リブ２２は、第７部３７と、第７部３７の長手方向の両側に位置する第８部３８と、を備えている。第８部３８は、第７部３７と第１リブ２１とにつながり第７部３７よりも高さが低い。第５部３５及び第７部３７の高さは、第５リブ２５、第８リブ２８、第１補強部２９及び第２補強部３０の高さと同じである。
【００２８】
第６部３６及び第８部３８には、第１リブ２１と第２リブ２２との交点を含む部位に第２脚部３９が設けられている。第２脚部３９の高さは、第６部３６及び第８部３８のうち最も高く、第２部３２及び第４部３４よりも高く、第１部３１及び第３部３３よりも低い。第６部３６のうち第２脚部３９を除く部分の高さ、及び、第８部３８のうち第２脚部３９を除く部分の高さは、第２部３２及び第４部３４の高さと同じである。
【００２９】
リブ２０は、第１部３１同士をつなぐ第７リブ２７と、第２部３２同士をつなぐ第８リブ２８と、をさらに備える。第７リブ２７は、第１リブ２１、第３リブ２３、第５リブ２５、第８リブ２８及び第１補強部２９に垂直に交わる。第８リブ２８は、第２リブ２２、第４リブ２４、第６リブ２６及び第２補強部３０に垂直に交わる。本実施形態では、第７リブ２７の数は２本であり、第７リブ２７は第１部３１のほぼ中央につながる。第８リブ２８の数も２本であり、第８リブ２８は第２部３２のほぼ中央につながる。第７リブ２７及び第８リブ２８の高さは、第１リブ２１、第２リブ２２、第５リブ２５、第６リブ２６、第１補強部２９及び第２補強部３０の高さよりも高い。
【００３０】
第７リブ２７及び第８リブ２８の厚さは、第５リブ２５、第６リブ２６、第１補強部２９及び第２補強部３０の厚さよりも厚い。第１部３１、第３部３３、第５部３５及び第７部３７の厚さは、第７リブ２７及び第８リブ２８の厚さよりも厚い。第５リブ２５、第６リブ２６、第１補強部２９及び第２補強部３０は同じ厚さである。
【００３１】
図２は支持脚４２の上にフロアパネル１０を配置した二重床４０の平面図である。図３は図２のＩＩＩ−ＩＩＩ線における二重床４０の断面図である。二重床４０は、１つの支持脚４２の上に４枚のフロアパネル１０の角が配置されるが、図３及び図４では、支持脚４２が支持する４枚のフロアパネル１０のうち１枚が図示され、残りの３枚の図示が省略されている。
【００３２】
二重床４０は、床４１に固定された支持脚４２と、支持脚４２に架設されたストリンガ４５と、支持脚４２に固定されたフロアパネル１０と、を備えている。支持脚４２は、支持脚４２の上端に位置する受け部４３と、支持脚４２から横方向に延びるアーム４４と、を備えている。アーム４４は、受け部４３よりも床４１に近い位置に配置されている。アーム４４は、平面視において、支持脚４２を中心として９０°ずつ回転した位置に４つ設けられている。アーム４４には、ストリンガ４５が取り付けられる。本実施形態では、ストリンガ４５は角筒状の部材である。
【００３３】
受け部４３の上に、フロアパネル１０の第２部３２、第４部３４、第６部３６及び第８部３８が配置される。受け部４３に第２脚部３９が接する。平板部１１の穴（図示せず）にボルト等の軸状部材（図示せず）を通し、軸状部材を介して受け部４３に平板部１１が固定される。フロアパネル１０の第１リブ２１及び第２リブ２２が、ストリンガ４５の上に配置される。なお、第１リブ２１及び第２リブ２２はストリンガ４５に接しておらず、第１リブ２１とストリンガ４５との間、第２リブ２２とストリンガ４５との間には、それぞれ隙間がある。
【００３４】
第２部３２は第１部３１よりも低く、第４部３４は第３部３３よりも低く、第６部３６は第５部３５よりも低く、第８部３８は第７部３７よりも低いので、第２部３２、第４部３４、第６部３６及び第８部３８を受け部４３の上に配置することにより、フロアパネル１０の平板部１１から受け部４３までの厚さを薄くできる。よって、床４１とフロアパネル１０との間の床下空間の広さを確保できる。また、第１部３１及び第３部３３の高さは、第５部３５及び第７部３７の高さよりも高いので、第１部３１及び第３部３３によってフロアパネル１０の強度を確保できる。
【００３５】
フロアパネル１０の平板部１１から支持脚４１の受け部４３までの厚さと同じ厚さの別のフロアパネルが敷き詰められた二重床において、そのフロアパネルのいくつかをフロアパネル１０と交換したときには、フロアパネル１０によって二重床の強度を部分的に設定できる。さらに、フロアパネル１０の平板部１１から支持脚４１の受け部４３までの厚さを、別のフロアパネルの厚さと同じにできるので、支持脚４２を専用品に交換しなくても、フロアパネル１０の平板部１１が作る二重床の床面に段差ができないようにできる。
【００３６】
第１リブ２１の第５部３５及び第２リブ２２の第７部３７の高さは、第１部３１及び第３部３３の高さよりも低いので、ストリンガ４５の上に第１リブ２１及び第２リブ２２を配置できる。これにより、フロアパネル１０の第１リブ２１及び第２リブ２２の位置までストリンガ４５の位置を高くできるので、フロアパネル１０及びストリンガ４５と床４１との間の床下空間を広くできる。また、ストリンガ４５が配置された二重床において、フロアパネルのいくつかをフロアパネル１０と交換したときに、フロアパネル１０のリブ２０がストリンガ４５に干渉しないようにできる。よって、支持脚４２やストリンガ４５を専用品に交換しなくても、既設の二重床にフロアパネル１０を配置できる。
【００３７】
第６部３６及び第８部３８に設けられた第２脚部３９が受け部４３に接するので、第２脚部３９の高さを正確に作ることにより、平板部１１から第２脚部３９までのフロアパネル１０の厚さの精度を確保できる。
【００３８】
第１部３１と第２部３２との境界３２ａは、第４リブ２４と第６リブ２６との間に位置し、第３部３３と第４部３４との境界３４ａは、第３リブ２３と第５リブ２５との間に位置する。これにより第１部３１及び第３部３３の長さを確保できるので、フロアパネル１０の強度を十分に確保できる。
【００３９】
第５部３５と第６部３６との境界３６ａは、第４リブ２４と第６リブ２６との間に位置し、第７部３７と第８部３８との境界３８ａは、第３リブ２３と第５リブ２５との間に位置する。これにより第５部３５及び第７部３７の長さを確保できるので、フロアパネル１０の強度を十分に確保できる。
【００４０】
第１部３１及び第３部３３の高さはリブ２０の中で最も高いので、全体にリブ２０を高くする場合に比べて、床４１とフロアパネル１０との間の床下空間を広くしつつ、第１部３１及び第３部３３によってフロアパネル１０の強度を確保できる。
【００４１】
第１部３１、第３部３３、第５部３５及び第７部３７の厚さは、第５リブ２５、第６リブ２６、第７リブ２７、第８リブ２８、第１補強部２９及び第２補強部３０の厚さよりも厚い。よって、第５リブ２５、第６リブ２６、第７リブ２７、第８リブ２８、第１補強部２９及び第２補強部３０も厚くする場合に比べて、フロアパネル１０の質量の増加を抑制しつつ、フロアパネル１０の強度を大きくできる。
【００４２】
第７リブ２７及び第８リブ２８の高さは、第１リブ２１、第２リブ２２、第５リブ２５、第６リブ２６、第１補強部２９及び第２補強部３０の高さよりも高い。よって、全体にリブ２０を高くする場合に比べて、床４１とフロアパネル１０との間の床下空間を広くしつつ、フロアパネル１０の強度を大きくできる。
【００４３】
第７リブ２７及び第８リブ２８の厚さは、第５リブ２５、第６リブ２６、第１補強部２９及び第２補強部３０の厚さよりも厚い。よって、第５リブ２５、第６リブ２６、第１補強部２９及び第２補強部３０も厚くする場合に比べて、フロアパネル１０の質量の増加を抑制しつつ、フロアパネル１０の強度をより大きくできる。
【００４４】
以上、実施の形態に基づき本考案を説明したが、本考案は上記実施の形態に何ら限定されるものではなく、本考案の趣旨を逸脱しない範囲内で種々の改良変形が可能であることは容易に推察できるものである。例えば第１リブ２１、第２リブ２２、第３リブ２３、第４リブ２４、第５リブ２５、第６リブ２６、第７リブ２７、第８リブ２８、第１補強部２９及び第２補強部３０の高さや厚さ、第１補強部２９及び第２補強部３０の本数は一例である。これらは平板部１１の大きさやフロアパネル１０の要求特性（強度および剛性）に応じて適宜設定できる。
【００４５】
実施形態では、第１リブ２１に第５部３５及び第６部３６が設けられ、第２リブ２２に第７部３７及び第８部３８が設けられる場合について説明したが、必ずしもこれに限られるものではない。第５部３５及び第７部３７を省略し、第２脚部３９を除いて第１リブ２１の高さを第６部３６と同じ高さにし、第２脚部３９を除いて第２リブ２２の高さを第８部３８と同じ高さにすることは当然可能である。
【００４６】
実施形態では、第１部３１、第３部３３、第５部３５及び第７部３７の厚さや高さが、長手方向の全長に亘って同一の場合について説明したが、必ずしもこれに限られるものではない。フロアパネル１０の要求特性に応じて、リブ２０の長手方向の中央に向かって第１部３１、第３部３３、第５部３５及び第７部３７の高さや厚さが大きくなるように設定することは当然可能である。
【００４７】
実施形態では、第１部３１及び第３部３３と同じ高さのリブ２０が存在しない場合について説明したが、必ずしもこれに限られるものではない。第５リブ２５、第６リブ２６、第７リブ２７、第８リブ２８、第１補強部２９及び第２補強部３０の少なくとも１つの高さを、第１部３１及び第３部３３と同じ高さにすることは当然可能である。リブ２０を高くすることにより強度を大きくできるからである。但し、第１部３１及び第３部３３と同じ高さのリブ２０を設けないのが好ましい。リブ２０が高くなると、その分だけ床下空間が狭くなるからである。
【００４８】
実施形態では説明を省略したが、第１リブ２１、第２リブ２２、第３リブ２３、第４リブ２４、第５リブ２５、第６リブ２６、第７リブ２７、第８リブ２８、第１補強部２９及び第２補強部３０以外の他のリブを平板部１１に設けることは当然可能である。他のリブとしては、例えば、第５リブ２５、第６リブ２６、第１補強部２９及び第２補強部３０よりも高さの低いリブが挙げられる。
【００４９】
実施形態では説明を省略したが、平板部１１を厚さ方向に貫通する複数の貫通孔を、リブ２０を避けて平板部１１に設けることは当然可能である。平板部１１に貫通孔を設けることにより、貫通孔を通して空気を流通させることができる。これにより、クリーンルーム内の気流調節や電算機の放熱冷却に適した空調用フロアパネルが得られる。貫通孔の形状としては、円形状や四角形状など適宜設定することが可能である。
【００５０】
実施形態では、支持脚４２にストリンガ４５が架設される二重床４０について説明したが、必ずしもこれに限られるものではない。フロアパネル１０の使い方に制限はないので、ストリンガ４５が省略された二重床を構成するためにフロアパネル１０を用いることは当然可能である。
【符号の説明】
【００５１】
１０    フロアパネル
１１    平板部
２０    リブ
２１    第１リブ
２２    第２リブ
２３    第３リブ
２４    第４リブ
２５    第５リブ
２６    第６リブ
２７    第７リブ
２８    第８リブ
３１    第１部
３２    第２部
３２ａ  第１部と第２部との境界
３３    第３部
３４    第４部
３４ａ  第３部と第４部との境界
３５    第５部
３６    第６部
３６ａ  第５部と第６部との境界
３７    第７部
３８    第８部
３８ａ  第７部と第８部との境界
４０    二重床
４１    床
４２    支持脚
４５    ストリンガ
【図１】
0003225046.tif 000003
【図２】
0003225046.tif 000004
【図３】
0003225046.tif 000005
【手続補正書】
【提出日】令和1年11月26日(2019.11.26)
【手続補正１】
【補正対象書類名】実用新案登録請求の範囲
【補正対象項目名】請求項１
【補正方法】変更
【補正の内容】
【請求項１】
正方形の板状の平板部と、前記平板部の裏面に設けられる複数のリブと、を備え、
前記リブは、前記平板部の相対する２辺にそれぞれ設けられる第１リブと、
前記第１リブにそれぞれつながり前記平板部の相対する他の２辺にそれぞれ設けられる第２リブと、
前記第２リブにそれぞれつながり前記第１リブの隣にそれぞれ並べて設けられる第３リブと、
前記第１リブにそれぞれつながり前記第２リブの隣にそれぞれ並べて設けられる第４リブと、
前記第２リブにそれぞれつながり前記第３リブの隣にそれぞれ並べて設けられる第５リブと、
前記第１リブにそれぞれつながり前記第４リブの隣にそれぞれ並べて設けられる第６リブと、を備え、
前記第３リブは、第１部と、前記第１部の長手方向の両側に位置し前記第１部と前記第２リブとにつながり前記第１部よりも高さが低い第２部と、を備え、
前記第４リブは、第３部と、前記第３部の長手方向の両側に位置し前記第３部と前記第１リブとにつながり前記第３部よりも高さが低い第４部と、を備え、
前記第１部および前記第３部の高さは、前記第１リブ及び前記第２リブの高さよりも高いことを特徴とするフロアパネル。